(57)【要約】【課題】  含銅塩化ニッケル溶液に含まれる銅を効率的に除去することができる含銅塩化ニッケル溶液の銅イオン除去方法並びに電気ニッケルの製造方法を提供する。【解決手段】  ニッケル硫化物１０を塩素浸出して得られる含銅塩化ニッケル溶液１１’から銅イオンを除去する銅イオン除去方法において、２価銅イオンを含有する含銅塩化ニッケル溶液１１’にニッケル硫化物１０を添加し、少なくとも、２価銅イオンを１価銅イオンに還元する第１の工程と、第１の工程を経て得られたスラリーに、ニッケルマット１２及び塩素浸出残渣１３を添加し、スラリーに含まれる１価銅イオンを硫化物として固定化する第２の工程とを有する。【選択図】  図１
2012026027.tif 000002
【特許請求の範囲】
【請求項１】
ニッケル硫化物を塩素浸出して得られる含銅塩化ニッケル溶液から銅イオンを除去する銅イオン除去方法において、
上記含銅塩化ニッケル溶液にニッケル硫化物を添加し、少なくとも、該含銅塩化ニッケル溶液中の２価銅イオンを１価銅イオンに還元する第１の工程と、
上記第１の工程を経て得られたスラリーに、ニッケルマット及び上記塩素浸出の残渣を添加し、該スラリーに含まれる１価銅イオンを硫化物として固定化する第２の工程と
を有することを特徴とする含銅塩化ニッケル溶液の銅イオン除去方法。
【請求項２】
上記塩素浸出の残渣は、硫黄源として用いられ、該硫黄源により１価銅イオンを硫化物として固定化することを特徴とする請求項１記載の含銅塩化ニッケル溶液の銅イオン除去方法。
【請求項３】
上記ニッケル硫化物は、ニッケル酸化鉱から湿式製錬によって得られ、ニッケル及びコバルトを含有することを特徴とする請求項１又は２記載の含銅塩化ニッケル溶液の銅イオン除去方法。
【請求項４】
上記第１の工程の反応温度を８０〜１１０℃とすることを特徴とする請求項１乃至３の何れか１項記載の含銅塩化ニッケル溶液の銅イオン除去方法。
【請求項５】
上記第１の工程において添加されるニッケル硫化物は、平均粒径（Ｄ５０）が８０μｍ以下に湿式粉砕されたものであることを特徴とする請求項１乃至４の何れか１項記載の含銅塩化ニッケル溶液の銅イオン除去方法。
【請求項６】
上記第１の工程において、反応終了後の含銅塩化ニッケル溶液中の銅イオン濃度を１価銅換算で３０ｇ／Ｌ以下とすることを特徴とする請求項１乃至５の何れか１項記載の含銅塩化ニッケル溶液の銅イオン除去方法。
【請求項７】
上記第１の工程の反応温度を９０〜１００℃とすることを特徴とする請求項６記載の含銅塩化ニッケル溶液の銅イオン除去方法。
【請求項８】
第１の工程において添加するニッケル硫化物は、平均粒径（Ｄ５０）が２０μｍ以下に湿式粉砕されたものであることを特徴とする請求項６又は７記載の含銅塩化ニッケル溶液の銅イオン除去方法。
【請求項９】
上記第２の工程の反応温度を７０〜１００℃とすることを特徴とする請求項１乃至８の何れか１項記載の含銅塩化ニッケル溶液の銅イオン除去方法。
【請求項１０】
ニッケル硫化物を塩素浸出して得られる含銅塩化ニッケル溶液から銅を除去し、電解採取法により電気ニッケルを製造する電気ニッケルの製造方法において、
上記含銅塩化ニッケル溶液にニッケル硫化物を添加し、少なくとも、該含銅ニッケル溶液中の２価銅イオンを１価銅イオンに還元する第１のセメンテーション工程と、
上記第１のセメンテーション工程を経て得られたスラリーに、ニッケルマット及び上記塩素浸出の残渣を添加し、該スラリーに含まれる１価銅イオンを硫化物として固定化する第２のセメンテーション工程とを含むことを特徴とする電気ニッケルの製造方法。
【発明の詳細な説明】
【技術分野】
【０００１】
本発明は、例えば電気ニッケル製造プロセスにおける含銅塩化ニッケル溶液の銅イオン除去方法並びに電気ニッケルの製造方法に関する。
【背景技術】
【０００２】
非鉄金属における湿式精錬法では、乾式製錬から産出されたニッケルマット及び低品位ラテライト鉱石から硫酸浸出によって産出されたニッケル、コバルト等の混合物であるニッケル硫化物を原料として、原料中に含有するニッケル、コバルト、銅等の金属の大部分を塩素浸出する。そして、塩素浸出して得られた溶液から金属不純物等を除去した後に、電解採取によって電気ニッケルを製造する。具体的に図７に、塩素浸出法による電気ニッケル製造プロセスの工程図を示す。
【０００３】
図７に示すように、電気ニッケル製造プロセスは、塩素浸出工程Ｓ１０１と、セメンテーション工程Ｓ１０２と、浄液工程Ｓ１０３と、電解工程Ｓ１０４とを有する。
【０００４】
塩素浸出工程Ｓ１０１では、例えばニッケル酸化鉱から湿式製錬して製造したニッケル硫化物５０を原料とし、塩素ガス５９によってニッケルや銅等の金属成分を酸化浸出し、塩素浸出液５１としての含銅塩化ニッケル溶液５１’を生成する。この塩素浸出工程Ｓ１０１から生成された銅を含有する塩素浸出液５１（含銅塩化ニッケル溶液５１’）は、次にセメンテーション工程Ｓ１０２に送液される。一方で、塩素浸出工程Ｓ１０１で固相に残存した硫黄を主成分とする不純物は塩素浸出残渣５２とされ、硫黄が製品として回収される。
【０００５】
セメンテーション工程Ｓ１０２では、塩素浸出工程Ｓ１０１にて生成した含銅塩化ニッケル溶液５１’が送液され、含銅塩化ニッケル溶液５１’中の銅を固定化し除去する。具体的に、セメンテーション工程Ｓ１０２では、含銅塩化ニッケル溶液５１’に対して、例えば乾式製錬から産出されたニッケルマット５３を原料とし、粉砕処理して後工程の電解工程Ｓ１０４にて生成した塩化ニッケル溶液５４によってレパルプしたスラリー５５を添加する。また、セメンテーション工程Ｓ１０２では、塩素浸出工程Ｓ１０１にて副産物として生成した硫黄を主成分とする塩素浸出残渣５２が添加される。
【０００６】
このセメンテーション工程Ｓ１０２では、含銅塩化ニッケル溶液５１’中の２価銅イオンをニッケルマット５３中のニッケルメタル及び亜硫化ニッケルの還元力でもって１価銅イオンに還元し、１価の銅イオンを塩素浸出残渣５２中の硫黄によって硫化銅として固定することによって、含銅塩化ニッケル溶液５１’中の銅を除去する。
【０００７】
このセメンテーション工程Ｓ１０２では、銅が固定除去された溶液中のニッケルは２価のニッケルイオンとなり、その溶液はセメンテーション終液５６として浄液工程Ｓ１０３に送液される。一方、固定化され固相に残存した銅の硫化物や未反応のニッケルは、セメンテーション残渣５７として再び塩素浸出工程Ｓ１０１に送られる。なお、ニッケルマット５３中のコバルト及び銅についてもニッケルと同様の反応により、未反応物はセメンテーション残渣５７として塩素浸出工程Ｓ１０１に送られ、金属イオンはセメンテーション終液５６として浄液工程Ｓ１０３に送られる。
【０００８】
浄液工程Ｓ１０３では、セメンテーション工程Ｓ１０２からセメンテーション終液５６が送液され、例えば酸化中和法等の浄液処理によってセメンテーション終液５６中に含まれる鉄、コバルト、銅等のニッケル以外の不純物を除去する。具体的に、浄液工程Ｓ１０３には、主な工程として脱鉄工程と、脱コバルト工程と、脱鉛工程と、脱亜鉛工程とがある。
【０００９】
電解工程Ｓ１０４では、浄液工程Ｓ１０３を経て得られた塩化ニッケル溶液を用いて、電解採取法によって電気ニッケル５８を製造する。この電解工程Ｓ１０４においては、カソード側では、塩化ニッケル溶液中のニッケルイオンがメタルとして析出し、電気ニッケルが生成される。また、アノード側では、塩化ニッケル溶液中の塩素イオンが塩素ガス５９として発生し、塩素浸出工程Ｓ１０１等において用いられる。
【００１０】
以上のように、電気ニッケル製造プロセスにおいては、ニッケル硫化物５０を原料として塩素浸出を経て含銅塩化ニッケル溶液５１’が生成され、その含銅塩化ニッケル溶液５１’から電気ニッケル５８が製造されるが、含銅塩化ニッケル溶液５１’中の銅を固定除去するセメンテーション処理を効率的に行うことが、品質の高い電気ニッケル５８を製造するために重要となる。このセメンテーション処理に関する技術としては、例えば特許文献１に記載の技術が提案されている。
【００１１】
ところで、上述のように、ニッケル硫化物５０に含まれる銅は、塩素浸出工程Ｓ１０１を経て得られた塩素浸出液５１（含銅塩化ニッケル溶液５１’）からセメンテーション工程Ｓ１０２に送液されて固定化除去される。固定化された銅を含有するセメンテーション残渣５７は、再び塩素浸出工程Ｓ１０１に戻され、塩素浸出工程Ｓ１０１において溶液中の１価銅イオンは塩素ガスとの反応によって２価銅イオンとなり、その２価銅イオンの酸化力によってニッケルが浸出することとなる。つまり、塩素浸出工程Ｓ１０１とセメンテーション工程Ｓ１０２では、ある所定の濃度（通常４０ｇ／ｌ〜６０ｇ／ｌ）を保った状態で銅が循環していることになる。したがって、電気ニッケル５８の増産を目的として、例えば湿式製錬から産出されたニッケル硫化物５０の処理量を増加させた場合、必然的に電気ニッケル製造プロセス系内に循環される銅量も増加することとなる。
【００１２】
セメンテーション工程Ｓ１０２では、上述したように、原料として添加されたニッケルマット５３によって含銅塩化ニッケル溶液５１’に含まれる２価銅イオンが１価銅イオンに還元されて、塩素浸出残渣５２中の硫黄によって固定される。しかしながら、ニッケルマット５３の主形態であるニッケルメタルや亜硫化ニッケルは、２価銅イオンを１価銅イオンに還元する働きを優先的に行い、残存したニッケルメタル等によって生成した１価銅イオンが硫化銅として固定化されるようになる。したがって、電気ニッケル製造プロセス系内に循環する銅量が増加した場合、相対的に、２価銅イオンから１価銅イオンへ還元された後に硫化物として固定化するためのニッケルマット量は少なくなり、確実かつ効率的に含銅塩化ニッケル溶液５１’中の銅を固定除去できない場合がある。
【００１３】
しかも、電気ニッケル５８の増産に伴い、原料としてのニッケル硫化物５０の増処理によって系内に循環する銅量が増加した場合、含銅塩化ニッケル溶液５１’中の銅を除去させるのに、従来と同様のニッケルマット５３の量では銅を除去する能力が不足し、従ってニッケルマットの量も多くしなければならず、効率的かつ効果的に銅を除去することができなくなる。
【００１４】
このことから、系内に循環される銅量の増加に対しても、含銅塩化ニッケル溶液５１’に含まれる銅を効率的かつ効果的に除去することができるセメンテーション処理が望まれている。
【先行技術文献】
【特許文献】
【００１５】
【特許文献１】特開平１１−０８０９８６号公報
【発明の概要】
【発明が解決しようとする課題】
【００１６】
本発明は、このような実情に鑑みて提案されたものであり、例えば電気ニッケルの製造プロセスにおいて、含銅塩化ニッケル溶液に含まれる銅を効率的かつ効果的に除去することができる塩化ニッケル溶液の銅イオン除去方法並びに電気ニッケルの製造方法を提供することを目的とする。
【課題を解決するための手段】
【００１７】
本発明者らは、上記目的を達成するために鋭意検討を重ねた結果、銅を含有する塩化ニッケル溶液にニッケル硫化物を添加して銅を還元し、その後にニッケルマット及び塩素浸出残渣を添加して固定化することによって、効率的かつ効果的に銅を除去することが可能であることを見出し、本発明を完成させた。
【００１８】
すなわち、本発明に係る塩化ニッケル溶液の銅イオン除去方法は、ニッケル硫化物を塩素浸出して得られる含銅塩化ニッケル溶液から銅イオンを除去する銅イオン除去方法において、上記含銅塩化ニッケル溶液にニッケル硫化物を添加し、少なくとも、該含銅塩化ニッケル溶液中の２価銅イオンを１価銅イオンに還元する第１の工程と、上記第１の工程を経て得られたスラリーに、ニッケルマット及び上記塩素浸出の残渣を添加し、該スラリーに含まれる１価銅イオンを硫化物として固定化する第２の工程とを有することを特徴とする。
【００１９】
ここで、塩素浸出の残渣は、硫黄源として用いられ、該硫黄源により１価銅イオンを硫化物として固定化する。また、ニッケル硫化物は、ニッケル酸化鉱から湿式製錬によって得られ、ニッケル及びコバルトを含有することが好ましい。
【００２０】
また、第１の工程の反応温度は、８０〜１１０℃とすることが好ましく、９０〜１００℃とすることがより好ましい。また、第２の工程の反応温度は、７０〜１００℃とすることが好ましい。
【００２１】
また、第１の工程において添加するニッケル硫化物原料は、平均粒径（Ｄ５０）が８０μｍ以下に湿式粉砕されたものであることが好ましく、２０μｍ以下に湿式粉砕されたものであることがより好ましい。
【００２２】
本発明に係る電気ニッケルの製造方法は、ニッケル硫化物を塩素浸出して得られる含銅塩化ニッケル溶液から銅を除去し、電解採取法により電気ニッケルを製造する電気ニッケルの製造方法において、上記含銅塩化ニッケル溶液にニッケル硫化物を添加し、少なくとも、該含銅ニッケル溶液中の２価銅イオンを１価銅イオンに還元する第１のセメンテーション工程と、上記第１のセメンテーション工程を経て得られたスラリーに、ニッケルマット及び上記塩素浸出の残渣を添加し、該スラリーに含まれる１価銅イオンを硫化物として固定化する第２のセメンテーション工程とを含むことを特徴とする。
【発明の効果】
【００２３】
本発明によれば、含銅塩化ニッケル溶液に含まれる銅イオンを、ニッケル硫化物によって還元させた後、ニッケルマット及び塩素浸出残渣を添加して銅イオンを固定化させているので、含銅塩化ニッケル溶液に含まれる銅を効率的かつ効果的に除去することができる。
【図面の簡単な説明】
【００２４】
【図１】本実施の形態に係る銅イオン除去方法を適用した塩素浸出法による電気ニッケル製造プロセスの工程図である。
【図２】セメンテーション工程における原料の投入方法を変化させたときの反応時間に対するＣｕ濃度の関係を示すグラフである。
【図３】第１のセメンテーション工程における温度変化による脱銅挙動を示すグラフである。
【図４】第２のセメンテーション工程における温度変化による脱銅挙動を示すグラフである。
【図５】第１及び第２のセメンテーション工程別の銅濃度の推移を示すグラフである。
【図６】第１のセメンテーション工程おいて添加するニッケル（Ｎｉ）硫化物の粒径と銅濃度の関係を示すグラフである。
【図７】従来の塩素浸出法による電気ニッケル製造プロセスの工程図である。
【発明を実施するための形態】
【００２５】
以下、本実施の形態に係る塩化ニッケル溶液の銅イオン除去方法について、この塩化ニッケル溶液の銅イオン除去方法を電気ニッケルの製造方法に適用した例を挙げて、図面を参照しながら詳細に説明する。
【００２６】
本実施の形態に係る銅イオン除去方法は、ニッケル硫化物等の銅を含有する金属硫化物を塩素浸出して得られる含銅塩化ニッケル溶液に含まれる銅イオンを、効率的かつ効果的に固定除去するものである。具体的には、２価銅イオンを含有する塩化ニッケル溶液（以下、「含銅塩ニッケル溶液」という。）にニッケル硫化物を添加し、少なくとも２価銅イオンを１価銅イオンに還元する第１の工程と、第１の工程を経て得られたスラリーに、ニッケルマット及び塩素浸出残渣を添加し、スラリー中に含まれる１価銅イオンを硫化物として固定化する第２の工程とを有する。
【００２７】
図１に、本実施の形態に係る銅イオン除去方法を適用した電気ニッケル製造プロセスの工程図を示す。この図１に示すように、電気ニッケル製造プロセスは、ニッケル硫化物１０を原料としてニッケル等の金属を塩素浸出し、塩素浸出液である含銅塩化ニッケル溶液１１を生成する塩素浸出工程Ｓ１と、塩素浸出工程Ｓ１にて得られた含銅塩化ニッケル溶液１１’にニッケル硫化物１０を原料として添加し、少なくとも２価銅イオンを１価銅イオンに還元する第１のセメンテーション工程Ｓ２と、第１のセメンテーション工程Ｓ２後のスラリーに、ニッケルマット１２及び塩素浸出残渣１３を添加して１価銅イオンを固定化する第２のセメンテーション工程Ｓ３と、セメンテーション終液１４からニッケル以外の不純物を除去する浄液工程Ｓ４と、浄液工程Ｓ４を経て得られた塩化ニッケル溶液から電解採取法により電気ニッケル１５を得る電解工程Ｓ５とを有する。以下、各工程について順に説明する。
【００２８】
＜塩素浸出工程＞
塩素浸出工程Ｓ１では、例えば、ニッケル酸化鉱から湿式製錬により製造されたニッケル硫化物１０等の銅を含有する金属硫化物を原料として塩素でニッケル等の金属を浸出する。具体的には、後述する第２のセメンテーション工程Ｓ３後のセメンテーション残渣１６と共に電解工程Ｓ５で回収された塩素ガス１８等によって、ニッケル硫化物１０等の金属硫化物原料中のニッケル等を浸出し、塩素浸出液１１としての含銅塩化ニッケル溶液１１’を生成する。ここで、ニッケル硫化物１０等の金属硫化物原料は、電解工程Ｓ５にて得られる塩化ニッケル溶液１７によってレパルプされてスラリー化したものが用いられる。
【００２９】
塩素浸出工程Ｓ１では、例えば下記の（１）〜（３）式に示す反応が起こる。
Ｃｌ２＋２Ｃｕ＋→２Ｃｌ−＋２Ｃｕ２＋ ・・・（１）
ＮｉＳ＋２Ｃｕ２＋→Ｎｉ２＋＋Ｓ０＋２Ｃｕ＋ ・・・（２）
Ｃｕ２Ｓ＋２Ｃｕ２＋→４Ｃｕ＋＋Ｓ０ ・・・（３）
【００３０】
すなわち、塩素浸出工程Ｓ１では、原料としてのニッケル硫化物１０が送液されると、ニッケル硫化物１０中に含まれる硫化ニッケル及び硫化銅等の金属成分を、塩素ガス１８により酸化された２価銅イオンによって酸化浸出し、塩素浸出液１１としての含銅塩化ニッケル溶液１１’を生成する。塩素浸出工程Ｓ１にて生成された塩素浸出液１１は、後述する第１のセメンテーション工程Ｓ２及び続く第２のセメンテーション工程Ｓ３に送液され、銅が固定除去される。一方で、この塩素浸出工程Ｓ１では、硫黄を主成分とした塩素浸出残渣１３が固相に残存する。
【００３１】
＜第１のセメンテーション工程＞
第１のセメンテーション工程Ｓ２では、塩素浸出工程Ｓ１にて生成された塩素浸出液１１である含銅塩化ニッケル溶液１１’が送液され、この含銅塩化ニッケル溶液１１’にニッケル硫化物１０を原料として添加する。これにより、主として、含銅塩化ニッケル溶液１１’中の２価銅イオンを１価銅イオンに還元する。
【００３２】
第１のセメンテーション工程Ｓ２において添加するニッケル硫化物１０は、電気ニッケル製造プロセスにおける後工程で得られる塩化ニッケル溶液１７と共にレパルプされて生成したスラリーとして添加される。このニッケル硫化物１０は、上述の塩素浸出工程Ｓ１の原料として用いたものと同様に、例えばニッケル酸化鉱から湿式製錬により製造されたニッケル硫化物等が用いられる。
【００３３】
具体的に、第１のセメンテーション工程Ｓ２では、例えば下記の（４）及び（５）式に示す反応が生じる。
４ＮｉＳ＋２Ｃｕ２＋→Ｎｉ２＋＋Ｎｉ３Ｓ４＋２Ｃｕ＋ ・・・（４）
ＮｉＳ＋２Ｃｕ＋→Ｎｉ２＋＋Ｃｕ２Ｓ ・・・（５）
【００３４】
すなわち、塩素浸出工程Ｓ１から送液された含銅塩化ニッケル溶液１１’に対してニッケル硫化物１０を添加することにより、ニッケル硫化物１０中の主形態である硫化ニッケル（ＮｉＳ）が、含銅塩化ニッケル溶液１１’中の２価銅イオンを１価銅イオンに還元する（上記式（４））。また、主形態であるＮｉＳが、１価銅イオンを硫化銅（Ｃｕ２Ｓ）として固定化する（上記式（５））。
【００３５】
ただし、ニッケル硫化物１０中の主形態であるＮｉＳの還元力は弱く、１価銅イオンを硫化銅として固定する効果は弱い。したがって、この第１のセメンテーション工程Ｓ２では、主として、含銅塩化ニッケル溶液１１’中の２価銅イオンを１価銅イオンに還元する反応（上記式（４））が進行する。そして、還元された１価銅イオンは、第２のセメンテーション工程Ｓ３において硫黄源により硫化銅として固定化される（詳しくは後述する）。
【００３６】
しかしながら、第１のセメンテーション工程Ｓ２においても、上記（５）式の反応により１価銅イオンを硫化銅等の硫化物として固定化されることが好ましく、ニッケル硫化物１０の添加により、２価銅イオンを１価銅イオンに還元するとともに、１価銅イオンを硫化物として固定化させ、この第１のセメンテーション工程Ｓ２の反応終了時における含銅塩化ニッケル溶液１１’に含まれる銅濃度（１価銅換算）を３０ｇ／Ｌ以下とすることが好ましい。このように、第１のセメンテーション工程Ｓ２後の終液の銅濃度を３０ｇ／Ｌとすることにより、後工程の第２のセメンテーション工程Ｓ３を経て含銅塩化ニッケル溶液１１’中の銅濃度を０．１ｇ／Ｌ以下まで効率的に除去することができる。なお、第１のセメンテーション工程Ｓ２にて生成した硫化銅等の硫化物は、第２のセメンテーション工程Ｓ３からセメンテーション残渣１６として塩素浸出工程Ｓ１に送られる。
【００３７】
第１のセメンテーション工程Ｓ２で用いる含銅塩化ニッケル溶液１１’と塩素浸出工程Ｓ１から送液される塩素浸出液１１としては、特に限定されるものではなく如何なる組成状態のものであっても適用可能である。例えば、ニッケル濃度が１５０〜２７０ｇ／Ｌ、銅濃度が２０〜４０ｇ／Ｌ、ｐＨ０．５〜２．０であるものを用いることができる。また、含銅塩化ニッケル溶液１１’中における銅イオンの形態としては、例えば２価銅イオン比率が６０〜９０％であり、１価銅イオン比率が１０〜４０％であるものを用いることができる。
【００３８】
第１のセメンテーション工程Ｓ２にて原料として用いるニッケル硫化物１０は、上述のように、例えば低品位ニッケル酸化鉱を湿式製錬することによって得られ、ニッケル及びコバルトを含有する。このように、ニッケル酸化鉱を湿式製錬により得られたニッケル硫化物１０を原料として含銅塩化ニッケル溶液１１’に添加することにより、そのニッケル硫化物に含有される硫化ニッケル及び硫化コバルトの還元力によって２価銅イオンを効率的に１価銅イオンに還元することができる。
【００３９】
原料として添加するニッケル硫化物１０の添加濃度としては、６０〜１１０ｇ／Ｌとすることが好ましい。添加濃度が６０ｇ／Ｌ未満の場合には、十分に２価銅イオンを１価銅イオンに還元することができず、効率的に脱銅することができない可能性がある。一方、添加濃度が１１０ｇ／Ｌより大きい場合には、それ以上還元処理する効果が得られず操業上非効率となる。
【００４０】
また、ニッケル硫化物１０は、例えばタワーミルやビーズミル等により湿式粉砕されたものを用いることが好ましい。具体的には、湿式粉砕することによって、その平均粒径（Ｄ５０）が８０μｍ以下、好ましくは２０μｍ以下、より好ましくは１０μｍ以下としたものを用いることが好ましい。これにより、第１のセメンテーション工程Ｓ２において、含銅塩化ニッケル溶液１１’に含まれる１価銅イオンを効率的に還元することができ、銅イオンの除去効率を向上させることができる。特に、ニッケル硫化物１０の粒径を、平均粒径（Ｄ５０）で２０μｍ以下、より好ましくは１０μｍ以下とすることにより、効果的に含銅塩化ニッケル溶液１１’中の銅濃度（１価銅換算）を３０ｇ／Ｌ以下とすることができ、第２のセメンテーション工程Ｓ３を経て、含銅塩化ニッケル溶液１１’中の銅を０．１ｇ／Ｌ以下まで効率的に除去することができる。なお、平均粒径（Ｄ５０）とは、レーザー粒度分布測定により累積体積が５０％となる粒子径である。
【００４１】
第１のセメンテーション工程Ｓ２における温度条件としては、８０〜１１０℃とすることが好ましく、特に９０〜９５℃とすることがより好ましい。温度条件を８０℃以上とすることにより、効率的に含銅塩化ニッケル溶液１１’中の銅イオンの還元処理を進行させることができ、後述する第２のセメンテーション工程Ｓ３において銅イオンの除去効率を向上させることができる。なお、温度条件を１１０℃より高くした場合、含銅塩化ニッケル溶液１１’からの脱銅効率は向上するものの、耐熱仕様による設備コストや蒸気量増加による操業コストがかかり、効率的な操業ができなくなる。
【００４２】
＜第２のセメンテーション工程＞
第２のセメンテーション工程Ｓ３では、第１のセメンテーション工程Ｓ２を経て得られた含銅塩化ニッケル溶液１１’を含むスラリーに、ニッケルマット１２及び塩素浸出残渣１３を添加し、２価銅イオンを１価銅イオンに還元するとともに、１価銅イオンを硫化銅等の硫化物として固定化させる。ニッケルマット１２は、粉砕処理されて、後工程の電解工程Ｓ５から生成した塩化ニッケル溶液１７によってレパルプしてスラリー化されて添加される。
【００４３】
具体的に、第２のセメンテーション工程Ｓ３では、例えば下記の（６）〜（９）に示す反応が生じる。
Ｎｉ＋Ｃｕ２＋→Ｎｉ２＋＋Ｃｕ＋ ・・・（６）
Ｎｉ３Ｓ２＋２Ｃｕ２＋→Ｎｉ２＋＋２ＮｉＳ＋２Ｃｕ＋ ・・・（７）
Ｎｉ＋２Ｃｕ＋＋Ｓ→Ｎｉ２＋＋Ｃｕ２Ｓ ・・・（８）
Ｎｉ３Ｓ２＋２Ｃｕ＋＋Ｓ→Ｎｉ２＋＋２ＮｉＳ＋Ｃｕ２Ｓ ・・・（９）
【００４４】
第２のセメンテーション工程Ｓ３では、上記（６）及び（７）式に示すように、添加したニッケルマット１２に含まれるニッケルメタル（Ｎｉ）や亜硫化ニッケル（Ｎｉ３Ｓ２）により、含銅塩化ニッケル溶液１１’に残存している２価銅イオンが１価銅イオンに還元される。このように、第１のセメンテーション工程Ｓ２において還元されずに残存した２価銅イオンが、この第２のセメンテーション工程Ｓ３においてニッケルマットにより還元される。
【００４５】
また、第２のセメンテーション工程Ｓ３では、第１のセメンテーション工程Ｓ２及びこの第２のセメンテーション工程Ｓ３で還元された１価銅イオンを、ニッケルマット１２中に含まれるＮｉやＮｉ３Ｓ２により、硫黄源として添加した塩素浸出残渣１３を用いて硫化物として固定化する反応が生じる（（８）及び（９）式）。これにより、含銅塩化ニッケル溶液１１’に含まれる銅を固定化して除去する。
【００４６】
第２のセメンテーション工程Ｓ３において添加するニッケルマット１２は、例えば乾式製錬によって得られたニッケルマットを用い、主形態であるニッケルメタル及び亜硫化ニッケルの還元力を利用して、２価銅イオンを１価銅イオンに還元する。一方で、ニッケルマット１２におけるニッケルメタル等は、２価銅イオンの酸化力によってニッケルイオンに浸出される。
【００４７】
また、第２のセメンテーション工程Ｓ３において添加する塩素浸出残渣１３は、塩素浸出工程Ｓ１において副産物として固相に残存した残渣であり、硫黄源として添加する。塩素浸出残渣１３は、ニッケルマット１２と共に、主形態である硫黄によって１価銅イオンを硫化銅等の硫化物として固定化する。
【００４８】
固定化された硫化銅は、セメンテーション残渣１６として除去され、塩素浸出工程Ｓ１に戻される。
【００４９】
このように、銅を含有するニッケル硫化物が原料として塩素浸出工程Ｓ１に投入されると、この塩素浸出工程Ｓ１を経て、銅を含有する塩素浸出液１１がセメンテーション処理される。そして、その銅を含有するセメンテーション残渣１６が再び塩素浸出工程Ｓ１に繰り返し戻されるようになる。したがって、ニッケル硫化物１０が塩素浸出工程Ｓ１に投入されると、電気ニッケル製造プロセス系内に循環する銅量は必然的に増加することとなる。
【００５０】
ここで、従来の電気ニッケル製造プロセスにおけるセメンテーション工程では、塩素浸出工程で得られた塩素浸出液である含銅塩化ニッケル溶液に対して、ニッケルマットを塩化ニッケル溶液と共にレパルプして得られたスラリーを添加するとともに、硫黄源として塩素浸出残渣を添加するようにしていた。そのセメンテーション工程では、ニッケルマット原料中のニッケルメタル及び亜硫化ニッケルにより、含銅塩化ニッケル中の２価銅イオンを１価銅イオンに還元するとともに、塩素浸出残渣中の硫黄によって硫化銅として固定化するようにしていた。
【００５１】
しかしながら、塩素浸出工程では、１価銅イオンが塩素ガスを吸収して２価銅イオンに酸化され、その２価銅イオンの酸化力によって原料中の金属を浸出させているため、その溶液中には所定以上の銅濃度を確保しておく必要がある。このとき、電気ニッケルの増産を目的としてニッケル硫化物の処理量を増加させると、塩素浸出工程並びにセメンテーション工程内の液保有量が増加し、必然として系内の銅の循環量が増加することとなる。そのため、従来、入荷量が限られているマットのみでは、セメンテーション工程において銅イオンを硫化銅として効率的かつ効果的に除去することができず、電気ニッケルの増産を目的としたニッケル硫化物の処理量の増加に適切に対応することができなかった。
【００５２】
そこで、本実施の形態に係る電気ニッケルの製造プロセスでは、上述のようにして、まず第１のセメンテーション工程Ｓ２において含銅塩化ニッケル溶液１１’に対してニッケル硫化物１０を添加し、ニッケル硫化物１０によって２価銅イオンを１価銅イオンに還元する。そして、生成したスラリーに対し第２のセメンテーション工程Ｓ３において、ニッケルマット１２及び塩素浸出残渣１３を添加し、ニッケルマット１２によって、硫黄源としての塩素浸出残渣１３を用いて１価銅イオンを硫化銅等の硫化物として固定化し、含銅塩化ニッケル溶液１１’中の銅を除去する。
【００５３】
このように、ニッケルマット１２及び塩素浸出残渣１３に含まれるニッケルメタル及び亜硫化ニッケルのみによって２価銅イオンを還元して固定化するのではなく、先ずニッケル硫化物１０の還元力を最大限生かして含銅塩化ニッケル溶液１１’中の２価銅イオンを１価銅イオンに還元し、その後にニッケルマット１２及び塩素浸出残渣１３により１価銅イオンを硫化物として固定化する。これにより、系内に循環する銅に対して、従来と同様のニッケルマット量で効率的に脱銅処理を行うことができ、含銅塩化ニッケル溶液１１’から確実に銅を除去することができる。
【００５４】
なお、第１のセメンテーション工程において含銅塩化ニッケル溶液１１’にニッケルマットを添加し、第２のセメンテーション工程においてニッケル硫化物を添加した場合には、ニッケルメタル及び亜硫化ニッケルに関しては、２価銅イオンを１価銅イオンに還元する働きが優先され、その後に１価銅イオンを硫化銅に固定する働きが生じる。一方で、ニッケル硫化物中の硫化ニッケルは、２価銅イオンを還元する能力は持つものの、１価銅イオンを硫化銅として固定する能力が低いため、第２のセメンテーション工程Ｓ３で銅イオンが除去しきれなくなる。したがって、この場合には従来と同様に効率的な脱銅処理を行うことができない。
【００５５】
また、セメンテーション工程においてニッケル硫化物原料、ニッケルマット、塩素浸出残渣を併用して一括に添加した場合においても同様に、ニッケルマット中のニッケルメタル及び亜硫化ニッケルの反応が優先されてしまうため、ニッケル硫化物中の硫化ニッケルの還元力を活かすことができず、十分に銅を固定化して除去することができない。
【００５６】
第２のセメンテーション工程Ｓ３における反応温度としては、７０〜１００℃とすることが好ましく、８０〜９０℃とすることがより好ましい。温度条件を７０℃以上とすることにより、残存する２価銅イオンを１価銅イオンに還元し、１価銅イオンを硫黄によって効率的に固定化する反応を進行させることができる。なお、温度条件を１００℃より高くした場合、それ以上に含銅塩化ニッケル溶液１１’からの脱銅効率は向上せず、操業効率の観点から１００℃以下とすることが好ましい。
【００５７】
＜浄液工程＞
浄液工程Ｓ４では、第２のセメンテーション工程Ｓ３を経て得られたセメンテーション終液（ニッケル浸出液）１４からニッケル以外の不純物を除去し、電解採取するための塩化ニッケル溶液を得る。
【００５８】
浄液工程Ｓ４は、主な工程として、脱鉄工程と、脱コバルト工程と、脱鉛工程と、脱亜鉛工程とがある。これらの工程では、セメンテーション終液１４であるニッケル浸出液から不純物を除去する方法として、例えば酸化剤としての塩素ガスとアルカリ剤としての炭酸塩を用いる酸化中和法を用いることができる。酸化中和法は、コバルトや鉄等の重金属が高次の酸化イオンになると、低いｐＨ領域で水酸化物になりやすい性質を利用したものであり、湿式精錬の浄液工程をはじめ、重金属を含む排水処理等に汎用されている方法である。
【００５９】
具体的に、浄液工程Ｓ４では、例えば下記（１０）式に示す反応により不純物を除去する。
２Ｍ２＋＋Ｃｌ２＋３ＮｉＣＯ３＋３Ｈ２Ｏ→
２Ｍ(ＯＨ)３＋３Ｎｉ２＋＋２Ｃｌ−＋３ＣＯ２ ・・・（１０）
（但し、Ｍは、コバルト又は鉄である。）
【００６０】
上記（１０）式に示すように、浄液工程Ｓ４では、塩素ガスを用いてニッケル浸出液から、対象とする不純物の水酸化物沈殿を形成させ、不純物を除去した塩化ニッケル溶液を得る。
【００６１】
一般に、酸化中和法に用いられる薬剤は、酸化剤としては、塩素ガスの他に次亜塩素酸、酸素、空気等を用いることができる。また、アルカリ剤としては、炭酸塩の他に苛性ソーダ等の水酸化物、アンモニア等を用いることができる。これらの薬剤はプロセス条件に適合した組み合わせで使用されるが、ニッケルの湿式精錬プロセスにおいては、酸化剤として塩素ガス、アルカリ剤として炭酸塩を用いることが好ましい。酸化剤として塩素ガスを用いる理由は、塩素ガスは工程内で発生する強酸化剤であって利用し易いためである。また、アルカリ剤として炭酸塩を用いる理由は、プロセス全体のニッケル、ナトリウム、硫酸等のイオン濃度を制御できるとともに、酸化中和の際の反応性に優れるためである。
【００６２】
＜電解工程＞
電解工程Ｓ５では、上述の浄液工程Ｓ４を経て浄液された塩化ニッケル溶液から電解採取法により電気ニッケル１５を得る。
【００６３】
具体的に、電解工程Ｓ５では、カソード及びアノードにおいて、それぞれ下記（１１）及び（１２）に示す反応が生じる。
（カソード側）
Ｎｉ２＋＋２ｅ−→Ｎｉ０ ・・・（１１）
（アノード側）
２Ｃｌ−→Ｃｌ２＋２ｅ− ・・・（１２）
【００６４】
すなわち、カソード側では上記（１１）式に示すように、塩化ニッケル溶液中のニッケルイオンがメタル（電気ニッケル１５）として析出する。また、アノード側では上記（１２）式に示すように、塩化ニッケル溶液中の塩素イオンが塩素ガス１８として発生する。発生した塩素ガス１８は、例えば回収塩素ガスとして塩素浸出工程Ｓ１等で用いられる。
【実施例】
【００６５】
以下、本発明の具体的な実施例について説明する。なお、下記のいずれかの実施例に本発明の範囲が限定されるものではない。
【００６６】
＜セメンテーション処理工程＞
有効容量として０．５Ｌ規模の試験装置を用いて、以下に示すようにしてセメンテーション処理を行った。すなわち、先ず、塩化ニッケル溶液に対して、ニッケル硫化物を原料として塩素ガスで塩素浸出して得られた銅濃度３５ｇ／Ｌの塩素浸出終液を添加して含銅塩化ニッケル溶液とした。そして、その含銅塩化ニッケル溶液に、ニッケル硫化物原料が１０６ｇ／Ｌ、ニッケルマットが３２ｇ／Ｌ、塩素浸出残渣が１０ｇ／Ｌとなるようにしてそれぞれ下記の条件に従って添加し、反応温度９０℃として、銅を除去するセメンテーション処理を行った。なお、表１に、各添加原料の原料品位を示す。
【００６７】
【表１】
2012026027.tif 000003
【００６８】
この実施例では、上述したニッケル硫化物原料、ニッケルマット、塩素浸出残渣の各添加原料を、それぞれ以下の３つの添加条件（パターン）によって添加させて処理を行い、脱銅効果を評価した。
【００６９】
すなわち、実施例１として、ニッケル硫化物原料（ＭＳ）添加後に、ニッケルマット（Ｎｉマット）及び塩素浸出残渣を添加する分割添加パターン（分割添加ＭＳ⇒Ｎｉマット）にてセメンテーション工程を行った。また、比較例１として、ニッケルマット添加後に、ニッケル硫化物原料及び塩素浸出残渣を添加する分割添加パターン（分割添加Ｎｉマット⇒ＭＳ）にてセメンテーション工程を行った。また、比較例２として、Ｎｉマット、ニッケル硫化物原料及び塩素浸出残渣を一括で添加する一括添加パターン（一括添加Ｎｉマット＋ＭＳ）にてセメンテーション工程を行った。なお、実施例１及び比較例１の分割添加パターンにおいては、反応が２時間経過した後に原料を切り替えて添加した。
【００７０】
図２は、各原料添加パターンについて、セメンテーション反応時間に対する銅濃度（ｇ／Ｌ）の推移を示すグラフである。
【００７１】
図２のグラフに示されるように、第１のセメンテーション工程としてニッケル硫化物原料を添加して反応させた後に、第２のセメンテーション工程としてニッケルマット及び塩素浸出残渣を添加した実施例１では、反応時間４時間で含銅塩化ニッケル溶液中の銅を０．２ｇ／Ｌ以下にまで除去することができた。
【００７２】
一方で、ニッケルマットを添加して反応させた後に、ニッケル硫化物原料及び塩素浸出残渣を添加した比較例１、並びにニッケルマット、ニッケル硫化物原料、及び塩素浸出残渣を一括添加した比較例２では、反応時間４時間後で約２０ｇ／Ｌの銅が残存していた。
【００７３】
この結果から、実施例１のセメンテーション処理のように、第１のセメンテーション工程としてニッケル硫化物原料を添加して反応させた後に、第２のセメンテーション工程としてニッケルマット及び塩素浸出残渣を添加することにより、含銅塩化ニッケル溶液中の銅を効率的に固定除去することができることが分かった。
【００７４】
＜第１のセメンテーション工程における反応温度＞
上述の実施例１と同様の条件で、第１のセメンテーション工程としてニッケル硫化物原料を添加して２時間反応させた後、第２のセメンテーション工程としてニッケルマット及び塩素浸出残渣を添加して反応させた場合において、第１のセメンテーション工程の反応温度と脱銅効果について調べた。具体的に、第１のセメンテーション工程の反応温度を７０℃、８０℃、９０℃、１００℃とした場合におけるそれぞれの脱銅効果について調べた。
【００７５】
図３は、各反応温度において、反応時間に対する銅濃度（ｇ／Ｌ）（１価銅換算）の推移を示すグラフである。
【００７６】
図３のグラフに示されるように、第１のセメンテーション工程の反応温度を８０℃以上とすることによって、第１のセメンテーション工程の反応終了時（反応２時間後）における銅濃度を４０ｇ／Ｌより低くできることが分かった。
【００７７】
特に、反応温度を９０℃、１００℃とした場合には、第１のセメンテーション工程の反応終了時に銅濃度を３０ｇ／Ｌ以下とすることができた。そして、このように第１のセメンテーション工程の反応温度を９０℃以上とすることによって、ニッケルマットを添加した第２のセメンテーション工程を経て、含銅塩化ニッケル溶液中の銅を、より一層効率的に除去できることが分かった。
【００７８】
一方、第１のセメンテーション工程の反応温度を７０℃とした場合、第１のセメンテーション工程の反応終了時（反応２時間後）において、銅濃度は約４０ｇ／Ｌであり、脱銅能力の低下がみられた。
【００７９】
この結果から、第１のセメンテーション工程の反応温度を８０〜１００℃、より好ましくは９０〜１００℃とすることにより、脱銅効果を高めることができ、効率的に銅を除去できることが分かった。
【００８０】
＜第２のセメンテーション工程における反応始液の銅濃度について＞
次に、ニッケルマット及び塩素浸出残渣を添加する第２のセメンテーション工程における反応温度による脱銅効果について調べた。具体的には、上述した実施例１と同様の条件で第１のセメンテーション工程を行った後に、第２のセメンテーション工程の反応温度を、それぞれ８０℃、９０℃、９５℃として、処理した。
【００８１】
図４は、第２のセメンテーション工程の反応開始時の始液銅濃度（ｇ／Ｌ）（１価銅換算）に対する反応終了時の終液銅濃度（ｇ／Ｌ）の示すグラフである。
【００８２】
図４のグラフに示されるように、８０℃、９０℃、９５℃の何れの反応温度においても、脱銅効果はリニアな直線となり、効率的に銅を除去できることが分かった。
【００８３】
また、この実験結果から、特に、第２のセメンテーション工程の反応開始時の始液銅濃度、すなわち第１のセメンテーション工程の反応終液における銅濃度を、１価銅換算で３０ｇ／Ｌ以下とすることによって、第２のセメンテーション工程を経て得られる反応終液の銅濃度を０．１ｇ／Ｌ以下にまで収束できることが分かった。すなわち、第１のセメンテーション工程において、含銅塩化ニッケル溶液中の銅濃度を３０ｇ／Ｌ以下にまで減少させることによって、第２のセメンテーション工程を経て銅濃度を０．１ｇ／Ｌ以下にまで効率的に減少させることができることが分かった。
【００８４】
＜工程別の銅濃度の推移＞
上述の結果から得られた考察に基づき、第１のセメンテーション工程及び第２のセメンテーション工程の各工程別の銅濃度の推移を調べた。実施例１と同様にして、塩素浸出工程を経て含銅塩化ニッケル溶液を生成し、第１のセメンテーション工程では、反応温度を９５℃として、含銅塩化ニッケル溶液にニッケル硫化物原料１０６ｇ／Ｌを添加した。また、第２のセメンテーション工程では、反応温度を８０℃とし、第１のセメンテーション工程後のスラリーに、ニッケルマット３２ｇ／Ｌ及び塩素浸出残渣１０ｇ／Ｌを添加した。なお、第１のセメンテーション工程を２時間行った後に、第２のセメンテーション工程を行った。
【００８５】
図５は、反応時間に対する銅濃度（ｇ／Ｌ）の変化を示すグラフであり、工程別の銅濃度の推移を示すグラフである。
【００８６】
図５に示されるように、第１のセメンテーション工程の反応終了時に銅濃度が３０ｇ／Ｌ以下となるように処理することにより、第２のセメンテーション工程の反応終了後の終液の銅濃度を０．１ｇ／Ｌ以下と極めて低い濃度にすることができ、効率的に銅を固定除去できることが分かった。
【００８７】
＜ニッケル硫化物原料の粒径＞
次に、第１のセメンテーション工程において添加するニッケル硫化物原料の粒径について調べた。具体的に、実施例１と同様にして塩素浸出工程を経て含銅塩化ニッケル溶液を生成し、その含銅塩化ニッケル溶液に、平均粒径（Ｄ５０％）で１．５〜４０μｍとしたニッケル硫化物を原料として添加した場合における第１のセメンテーション工程の反応終液の銅濃度（ｇ／Ｌ）（１価銅換算）を調べた。
【００８８】
第１のセメンテーション工程の反応温度は、８０℃に設定した場合と９５℃に設定した場合とで調べた。８０℃の温度条件では、含銅塩化ニッケル溶液に添加するニッケル硫化物の添加量を６３．４ｇ／Ｌとした場合、及び添加量を１０６ｇ／Ｌとした場合について調べた。また、９５℃の温度条件では、含銅塩化ニッケル溶液に添加するニッケル硫化物の添加量を１０６ｇ／Ｌとした場合について調べた。
【００８９】
なお、第１のセメンテーション工程の反応時間は２時間とし、銅濃度が３２ｇ／Ｌ（２価銅６８％）の反応始液を用いて処理した。また、ニッケル硫化物原料は、タワーミル（ＫＷ−２０、日本アイリッヒ株式会社製）により粉砕し、粒度分布装置マイクロトラック（９３２０-Ｘ１００  ＨＲＡ、日機装株式会社製）を用いて粒径を測定した。
【００９０】
図６は、ニッケル硫化物原料の平均粒径（Ｄ５０）（μｍ）に対する第１のセメンテーション工程の反応終液の銅濃度（ｇ／Ｌ）（１価銅換算）の示すグラフである。
【００９１】
図６のグラフに示されるように、何れの反応条件においても、ニッケル硫化物原料の平均粒径が小さくなるほど、反応終液の銅濃度が低くなることが分かった。
【００９２】
上述の図４に示した結果から判断できるように、第２のセメンテーション工程の反応終液の銅濃度を０．１ｇ／Ｌ以下とするためには、第１のセメンテーション工程後の反応終液の銅濃度を３０ｇ／Ｌ以下とすることが好ましかった。この点において、図６に示したように、ニッケル硫化物原料の添加量を１０６ｇ／Ｌとした場合には、反応温度が８０℃以上の範囲において、ニッケル硫化物原料の平均粒径（Ｄ５０％）を４０μｍ以下とすることにより、反応終液の銅濃度を３０ｇ／Ｌ以下にできることが分かった。
【００９３】
一方で、反応温度を８０℃とし、ニッケル硫化物原料の添加量を６３．４ｇ／Ｌとした場合には、反応終液の銅濃度を３０ｇ／Ｌ以下とするために、ニッケル硫化物原料の平均粒径（Ｄ５０）を２０μｍ以下、好ましくは１０μｍ以下とすることが好ましいことが分かった。
【図１】
2012026027.tif 000004
【図２】
2012026027.tif 000005
【図３】
2012026027.tif 000006
【図４】
2012026027.tif 000007
【図５】
2012026027.tif 000008
【図６】
2012026027.tif 000009
【図７】
2012026027.tif 000010